(57)【要約】【課題】本発明は多数のカードを積み上げて最も上の位置からカードを払い出す目的から開発されたものである。【解決手段】カード体１を積み上げて収容するためのカード体収納室１０と、前記収納室 内を昇降移動するカード体積載用の載置台３１と、前記収納室に沿って固定されたレール１５，１６，１７，１８と、前記レールと並行に配設されるとともに上下動可能な操作ロッド２１，２２と、前記載置台に一体的に設けられた前記操作ロッドに対するロック手段４１，５１および前記レールに対するロック手段４３，５３とを備えてなるカード体押し上げ装置を有するとともに、前記カード押し上げ装置によって下部から押し上げられたカード体に一番上のカード体を検出するための第１のセンサ手段９１と、前記一番上のカード体のみを繰り出すための繰り出しローラ手段６４とを備えるカードの払い出し装置である。【選択図】  図５
2006256868.tif 000002
【特許請求の範囲】
【請求項１】
カード体を積み上げて収容するためのカード体収納室(１０)と、前記収納室(１０) 内を昇降移動するカード体積載用の載置台と、前記収納室に沿って固定されたレール(１５)と、前記レール(１５)と並行に配設されるとともに上下動可能な操作ロッド（２１）と、前記載置台(３１)に一体的に設けられた前記操作ロッドに対するロック手段(４１)および前記レール(１５)に対するロック手段(４３)とを備えてなるカード体押し上げ装置を有するとともに、前記カード押し上げ装置によって下部から上部に押し上げられた積層するカード体の一番上のカード体を検出するための第１のセンサ手段(９１)と、前記一番上のカード体を繰り出すための繰り出しローラ手段(６４)とを備えるカードの払い出し装置。
【請求項２】
基台（１１）から起立されたフレーム(９)によって該基台(１１)の頂面上方に形成されたカード体収納室(１０)と、
前記収納室(１０)内を昇降移動するカード体積載用の載置台(３１)と、
前記収納室(１０)に沿って固定されたレール(１５，１６，１７，１８)と、
前記レール(１５，１６，１７，１８)と並行に配設されかつ上下駆動可能に設けられた、前記載置台(３１)を昇降移動させるための操作ロッド(２１，２２)と、
該操作ロッド(２１，２２)を駆動するための電気モーター(１２)と、
前記操作ロッド(２１，２２)と前記載置台(３１)との間に介在し、かつ操作ロッド(２１，２２)の上動時に操作ロッド(２１，２２)に対するロック状態となり前記載置台(３１)を上昇可能にする載置台押し上げ用のロック手段(４１，５１)と、
前記レール(１５，１６，１７，１８)と前記載置台(３１)との間に介在し、かつ前記第１のロック手段(４１，５１)が解放する前記操作ロッド(２１，２２)の下降時に、前記レール(１５，１６，１７，１８)に対するロック状態となり前記載置台(３１)を上昇移動位置から戻らないように保持する載置台戻り止め用のロック手段(４３，５３)とを備える一方、
前記カード収納室(１０)の上方におけるフレーム(９)に形成された一対の頂板部(６１，６１)間に、前記カード収納室(１０)の下部から上部に押し上げられた積層する最上端のカード体(１)によって回動する作動棒(６９)を介して当該カード体（１）を検出して前記電気モータ(１２)を制御するための第１のセンサ手段(９１)と、
前記第１のセンサ手段(９１)よりカード体(１)の繰り出し側に位置して前記最上端のカード体(１)のみ払い出し方向に繰り出すために外周の一部に突起(６６)が形成された繰り出しローラ段(６４)と、
前記繰り出しローラ手段(６４)よりカード体(１)を外方に払い出すための送り出しローラ手段(７６)と、
前記送り出しローラ手段(７６)の下方に配置して該送り出しローラ手段(７６)から送り出されるカード体(１)によって一方向に揺動すると共に、前記送り出しローラ手段(７６)から外部に払い出されたカード体(１)の通過によって解放され他方向に揺動復帰する作動体(８５)を検出して前記繰り出しローラ手段(６４)及び前記送り出しローラ手段(７６)の回転用モータ(７１)を制御するための第２のセンサ手段(９２)と、
が配設されてなることを特徴とする請求項１に記載するカード体の払い出し装置。
【請求項３】
基台（１１）から起立されたフレーム(９)によって該基台(１１)の頂面上方に形成されたカード体収納室(１０)と、
前記収納室(１０)内を昇降移動するカード体積載用の載置台(３１)と、
前記収納室(１０)に沿って固定されたレール(１５，１６，１７，１８)と、
前記レール(１５，１６，１７，１８)と並行に配設されかつ上下駆動可能に設けられた、前記載置台(３１)を昇降移動させるための操作ロッド(２１，２２)と、
該操作ロッド(２１，２２)を駆動するための電気モーター(１２)と、
前記操作ロッド(２１，２２)と前記載置台(３１)との間に介在し、かつ操作ロッド(２１，２２)の上動時に操作ロッド(２１，２２)に対するロック状態となり前記載置台(３１)を上昇可能にする載置台押し上げ用のロック手段(４１，５１)と、
前記レール(１５，１６，１７，１８)と前記載置台(３１)との間に介在し、かつ前記ロック手段(４１，５１)が解放する前記操作ロッド(２１，２２)の下降時に、前記レール(１５，１６，１７，１８)に対するロック状態となり前記載置台(３１)を上昇移動位置から戻らないように保持する載置台戻り止め用のロック手段(４３，５３)とを備える一方、
前記カード収納室(１０)の上方におけるフレーム(９)に形成された一対の頂板部間に(６１，６１)間に、前記カード収納室(１０)の下部から上部に押し上げられた積層する最上端のカード体(１)によって回動する作動棒(６９)を介して当該カード体（１）を検出して前記電気モータ(１２)を制御するための第１のセンサ手段(９１)と、
前記第１のセンサ手段(９１)よりカード体(１)の繰り出し側に位置して前記最上端のカード体(１)のみ払い出し方向に繰り出すために外周の一部に突起(６６)が形成された繰り出しローラ段(６４)と、
前記繰り出しローラ手段(６４)よりカード体(１)を外方に払い出すための送り出しローラ手段(７６)と、
前記送り出しローラ手段(７６)の下方に配置して該送り出しローラ手段(７６)から送り出されるカード体(１)によって一方向に揺動すると共に、前記送り出しローラ手段(７６)から外部に払い出されたカード体(１)の通過によって解放され他方向に揺動復帰する作動体(８５)を検出して前記繰り出しローラ手段(６４)及び前記送り出しローラ手段(７６)の回転用モータ(７１)を制御するための第２のセンサ手段(９２)と、
が配設されてなり、前記送り出しローラ手段（７６）と前記繰り出しローラ手段（６４）とは前記一対の頂板部（６１，６１）に設けられた有底ケース（６２）に回転可能に軸着され、前記第１のセンサ手段（９１）は前記繰り出しローラ手段（６４）のカード体（１９）繰り出し後方側にあって前記有底ケース（６２）に固設され、これら送り出しローラ手段（７６）と繰り出しローラ手段（６４）と第１のセンサ手段（９１）とが前記有底ケース（６２）の長手方向に沿って並設されてなることを特徴とするカード体の払い出し装置。
【請求項４】
前記載置台押し上げ用のロック手段(４１，５１)は、前記載置台（３１）から前記操作ロッド(２１、２２)と相対するように垂下しかつ前記操作ロッド(２１，２２)との間が前記載置台（３１）の上動方向に狭まるテーパ体（３４，３５，３６，３７）と、このテーパ体（３４，３５，３６，３７）と前記操作ロッド（２１，２２）との間に昇降自在に介挿したコロ（４１，５１）と、該コロ（４１，５１）を前記操作ロッド（２１，２２）と前記テーパ体（３４，３５，３６，３７）との間に挟まる方向に附勢するスプリング(４５，５５)とより構成され、一方載置台戻り止め用のロック手段(４３，５３)は、前記載置台（３１）から前記レール（１５，１６，１７，１８）と相対するように垂下しかつ前記レール（１５，１６，１７，１８）との間が載置台（３１）の上動方向に狭まるテーパ体（３４，３５，３６，３７）と、このテーパ体（３４，３５，３６，３７）と前記レール（１５，１６，１７，１８）との間に昇降自在に介挿したコロ（４３，５３）と、該コロ（４３，５３）を前記レール（１５，１６，１７，１８）と前記テーパ体（３４，３５，３６，３７）との間に挟まる方向に附勢するスプリング（４５，５５）とより構成されていることを特徴とする請求項２または請求項３に記載するカード体の払い出し装置。
【請求項５】
外部操作により、前記載置台押し上げ用のロック手段(４１，５１)および前記載置台戻り止め用のロック手段(４３，５３)における総べてのコロ（４１，５１，４３，５３）をスプリング（４５，５５）に抗して押し下げて、そのロック状態を解除し、載置台（３１）の自由な上下移動操作を可能とさせるロック解除装置（４７，５７）を有することを特徴とする請求項４に記載のカード体の払い出し装置。
【発明の詳細な説明】
【技術分野】
【０００１】
本発明は、テレホンカードなどの磁気カードあるいはＩＣカードなどの厚手のカードあるいはフロッピ.・ディスクなどを払い出すための装置に関する。
特に本発明は下部から押し上げられて来るカード体を上部から一枚一枚払い出すのに好適なカード体の払い出し装置に関する。本発明は更に具体的には販売するために多数のカードを積み上げて柱状に収納し最も上のカードのみを払い出す自動販売機用のカード体の払い出し装置に関する。
【背景技術】
【０００２】
これまでにカード払い出し装置としては種々のものが開発されている。たとえば実願昭６３−６０１４７(実公平７−２６２７６ならびに米国特許４，９９３，５８７を参照)の明細書にはカード送出装置が開示されている。
このカード送出装置は複数のカードを積層して収容する収納室と該カード積層体を下方から支持する保持板と該保持板の下方に設けられた繰り出しローラとを備えている。
そして当該繰り出しローラとカードの送出口との間には更にカードの送り出しローラが設けられている。かくして前記繰り出しローラによって前記カード積層体の最も下の位置から繰り出されたカードが当該送り出しローラによって前記カード送出口に送り出される。
【０００３】
【特許文献１】実公平７−２６２７６号公報
【発明の開示】
【発明が解決しようとする課題】
【０００４】
しかしながら上述のカード払い出し装置は払い出し位置が最も下であるためカードの収納枚数が少なくなるという問題点があった。
たとえば自動販売機内に上述のカード払い出し装置を設置して払い出し位置を手の高さにすると上方部のみがカード収納に使用されるため設置スペースに比べてカードの収納枚数が少なくなるという問題点があった。またカードの収容枚数が多い場合には負荷が大になり、少ない場合は負荷が小になるなど安定した動作が得られない欠点があった。
本発明は多数のカードを積み上げて最も上の位置からカードを払い出す目的から開発されたものである。
【０００５】
言い換えると本発明は多数のカードを積層し最も上のカードから払い出すようにしてカードの収容枚数を大幅に増加する目的から開発されたものである。
加えて本発明はカードの収容枚数が増減変化されても安定して動作するようにする目的から開発されたものである。
【課題を解決するための手段】
【０００６】
本発明は、カード体を積み上げて収容するためのカード体収納室と、前記収納室 内を昇降移動するカード体積載用の載置台と、前記収納室に沿って固定されたレールと、前記レールと並行に配設されるとともに上下動可能な操作ロッドと、前記載置台に一体的に設けられた前記操作ロッドに対するロック手段および前記レールに対するロック手段とを備えてなるカード体押し上げ装置を有するとともに、前記カード押し上げ装置によって下部から上部に押し上げられたカード体の一番上のカード体を検出するための第１のセンサ手段と、前記一番上のカード体を繰り出すための繰り出しローラ手段とを備えるカードの払い出し装置である。
【０００７】
また、本発明は基台から起立されたフレームによって該基台の頂面上方に形成されたカード体収納室と、前記収納室内を昇降移動するカード体積載用の載置台と、
前記収納室に沿って固定されたレールと、前記レールと並行に配設されかつ上下駆動可能に設けられた、前記載置台を昇降移動させるための操作ロッドと、該操作ロッドを駆動するための電気モーターと、前記操作ロッドと前記載置台との間に介在し、かつ操作ロッドの上動時に操作ロッドに対するロック状態となり前記載置台を上昇可能にする載置台押し上げ用のロック手段と、前記レールと前記載置台との間に介在し、かつ前記載置台押し上げ用のロック手段が解放する前記操作ロッドの下降時に、前記レールに対するロック状態となり前記載置台を上昇移動位置から戻らないように保持する載置台戻り止め用のロック手段とを備える一方、前記カード収納室の上方におけるフレームに形成された一対の頂板部間に、前記カード収納室の下部から上部に押し上げられた積層する最上端のカード体によって回動する作動棒を介して当該カード体を検出して前記モータを制御するための第１のセンサ手段と、前記第１のセンサ手段よりカード体の繰り出し側に位置して前記最上端のカード体のみ払い出し方向に繰り出すために外周の一部に突起が形成された繰り出しローラ段と、前記繰り出しローラ手段よりカード体を外方に払い出すための送り出しローラ手段と、前記送り出しローラ手段の下方に配置して該送り出しローラ手段から送り出されるカード体によって一方向に揺動すると共に、前記送り出しから外部に払い出されたカード体の通過によって解放され他方向に揺動復帰する作動体を検出して前記繰り出しローラ手段及び前記送り出しローラ手段の回転用モータを制御するための第２のセンサ手段と、が配設されてなるカード体の払出装置である。
【０００８】
また本発明は、基台から起立されたフレームによって該基台の頂面上方に形成されたカード体収納室と、前記収納室内を昇降移動するカード体積載用の載置台と、
前記収納室に沿って固定されたレールと、前記レールと並行に配設されかつ上下駆動可能に設けられた、前記載置台を昇降移動させるための操作ロッドと、該操作ロッドを駆動するための電気モーターと、前記操作ロッドと前記載置台との間に介在し、かつ操作ロッドの上動時に操作ロッドに対するロック状態となり前記載置台を上昇可能にする載置台押し上げ用のロック手段と、前記レールと前記載置台との間に介在し、かつ前記載置台押し上げ用のロック手段が解放する前記操作ロッドの下降時に、前記レールに対するロック状態となり前記載置台を上昇移動位置から戻らないように保持する載置台戻り止め用のロック手段とを備える一方、前記カード収納室の上方におけるフレームに形成された一対の頂板部間に、前記カード収納室の下部から上部に押し上げられた積層する最上端のカード体によって回動する作動棒を介して当該カード体を検出して前記モータを制御するための第１のセンサ手段と、前記第１のセンサ手段よりカード体の繰り出し側に位置して前記最上端のカード体のみ払い出し方向に繰り出すために外周の一部に突起が形成された繰り出しローラ段と、前記繰り出しローラ手段よりカード体を外方に払い出すための送り出しローラ手段と、前記送り出しローラ手段の下方に配置して該送り出しローラ手段から送り出されるカード体によって一方向に揺動すると共に、前記送り出しから外部に払い出されたカード体の通過によって解放され他方向に揺動復帰する作動体を検出して前記繰り出しローラ手段及び前記送り出しローラ手段の回転用モータを制御するための第２のセンサ手段とが配設されてなり、前記送り出しローラ手段と前記繰り出しローラ手段とは前記一対の頂板部に設けられた有底ケースに回転可能に軸着され、前記第１のセンサ手段は前記繰り出しローラ手段のカード体繰り出し後方側にあって前記有底ケースに固設され、これら送り出しローラ手段と繰り出しローラ手段と第１のセンサ手段とが前記有底ケースの長手方向に沿って並設されてなるカード体の払い出し装置である。
【０００９】
また本発明は、載置台押し上げ用のロック手段は、前記載置台から前記操作ロッドと相対するように垂下しかつ操作ロッドとの間が載置台の上動方向に狭まるテーパ体と、このテーパ体と前記操作ロッドとの間に昇降自在に介挿したコロと、該コロを前記操作ロッドと前記テーパ体との間に挟まる方向に附勢するスプリングとより構成され、一方載置台戻り止め用のロック手段は、前記載置台から前記レールと相対するように垂下しかつ前記レールとの間が載置台の上動方向に狭まるテーパ体と、このテーパ体と前記レールとの間に昇降自在に介挿したコロと、該コロを前記レールと前記テーパ体との間に挟まる方向に附勢するスプリングとより構成されているものである。
【００１０】
さらにまた本発明はさらに、外部操作により、前記載置台押し上げ用のロック手段および前記載置台戻り止め用のロック手段に係る総べてのコロをスプリングに抗して押し下げて、そのロック状態を解除し、載置台の自由な上下移動操作を可能とさせるロック解除装置を有するものである。
【発明の効果】
【００１１】
本発明は、カード体押し上げ装置により、載置台がカード収容室内を下部から上部へと押し上げられて来て、載置台に積層されたカード体の一番上のカード体が
第１のセンサ手段により検知されると、繰り出しローラ手段によってその一番上のカード体のみが払い出される。こうして積層されたカード体が払い出される毎に、一枚のカード体を正確に上部に押し上げることができるため多数のカード体を積層した収納室の最も上のカード体のみを一枚ずつ確実に払い出すことができるという効果が得られる。
【００１２】
また上下動自在な操作ロッドによる上昇によって操作ロッドに対するロック状態のコロを介在して載置台を略カード体の厚み分上昇し、次いで、操作ロッドの僅かな下降によって前記コロの操作ロッドに対するロック状態を解除してレールに対するロック状態の別のコロによって載置台を下降せずにそのまま位置を維持することができるという機構によって、カード体を払い出すための載置台の昇降動作を着実に行うことができる。
しかも其の機構が載置台と操作ロッドあるいはレールとの間で挟まることによりロックが効くというコロをそれぞれ介装させただけという頗る簡易な機構であり、格別に操作ロッドから載置台への動力伝達手段や動力遮断後の載置台を降下しないように保持する専用の保持手段を要さない構造となっているので、装置全体として小型化したかつ構造が簡単なカード体払い出し装置を提供することができる。
コロは、載置台から垂下形成したテーパー体によって操作ロッドとの間にできる載置台上昇方向に向かい狭まる空間に込めるだけの構造によって、コロを操作ロッドとロック状態にさせて載置台の上昇を行うことができる。同様に載置台の上昇方向に向かい狭まる空間をレールとの間に作るように載置台から垂下形成した別体のテーパー体によって、コロを前記空間に込めるだけという簡易な構造で、コロが今度はレールとロックし、操作ロッドが降下しても載置台を下がらないように上昇位置状態に保持できる。
【００１３】
さらにまた、カード体を繰り出し、送り出して払い出す際に、上部に押し上げられた最上端のカード体を検出して繰り出しローラ手段と送り出しローラ手段とを回転駆動するとともに、送り出しローラ手段によって送り出されるカード体を検出して確認し、且つ送り出しローラ手段によってカード体が払い出されたことを検出することができるので、最上端のカード体の送り出し確認とカード体の払い出し確認の二重チェックができ、払い出し装置におけるカード体の払い出しを確実に管理できる。
【００１４】
また、カード収納室の頂板部にける有底ケースであって、送り出しローラ手段と繰り出しローラ手段と第１のセンサ手段とが有底ケースの長手方向に沿って並設されてなるので、嵩だかにならずにコンパクトに設計でき、しかもカード収納室の頂板部において、カード体の押し上げを停止して、積層する最上端のカード体のみを繰り出し、送り出して払い出すことができるので、例えば自動販売機に本発明を設置してカード体の払い出し装置を手の高さにすることができるので下方部にカード体を収納するスペースができるため、カード体の収納枚数を大幅に増大できるという大きな利点が得られる。
【００１５】
そして、繰り出しローラ手段の外周の一部に突起を設けたので、積層されたカード体が払い出される毎に正確に上部に押し上げられた多数の積層されたカード体のうち最上端のカード体のみを繰り出すことができる。
【００１６】
またロック解除装置によって総べてのコロを操作ロッド又はレールからロック状態を外し、載置台をフリーな位置に移動することができるようになっているので、収納室内での載置台の位置を自由に設定することができ、最下位に近くするほどカードを多量に収納できるなど、カードの積載量を随意に変更できる利点がある。
【発明を実施するための最良の形態】
【００１７】
基台から起立されたフレームによって該基台の頂面上方に形成されたカード体収納室と、前記収納室内を昇降移動するカード体積載用の載置台と、前記収納室に沿って固定されたレールと、前記レールと並行に配設されかつ上下駆動可能に設けられた、前記載置台を昇降移動させるための操作ロッドと、該操作ロッドを駆動するための電気モーターと、前記操作ロッドと前記載置台との間に介在し、かつ操作ロッドの上動時に操作ロッドに対するロック状態となり前記載置台を上昇可能にする載置台押し上げ用のロック手段と、前記レールと前記載置台との間に介在し、かつ前記第１のロック手段が解放する前記操作ロッドの下降時に、前記レールに対するロック状態となり前記載置台を上昇移動位置から戻らないように保持する載置台戻り止め用のロック手段とを備える一方、前記カード収納室の上方におけるフレームに形成された一対の頂板部間に、前記カード収納室の下部から上部に押し上げられた積層する最上端のカード体によって回動する作動棒を介して当該カード体を検出して前記電気モータを制御するための第１のセンサ手段と、前記第１のセンサ手段よりカード体の繰り出し側に位置して前記最上端のカード体のみ払い出し方向に繰り出すために外周の一部に突起が形成された繰り出しローラ段と、前記繰り出しローラ手段よりカード体を外方に払い出すための送り出しローラ手段と、前記送り出しローラ手段の下方に配置して該送り出しローラ手段から送り出されるカード体によって一方向に揺動すると共に、前記送り出しローラ手段から外部に払い出されたカード体の通過によって解放され他方向に揺動復帰する作動体を検出して前記繰り出しローラ手段及び前記送り出しローラ手段の回転用モータを制御するための第２のセンサ手段と、が配設されてなるカード体の払い出し装置である。
【実施例】
【００１８】
以下に本発明を其の実施について添付の図面を参照しつつ説明する。
図１は本発明による一実施例を示す側面からの概略的な断面端面図である。図２は図１を正面から見た概略的な断面端面図である。
【００１９】
図３は図１の要部を拡大して示す概略的な断面端面図である。図４は図３を平面から見た概略的な断面端面図である。図５は図１の他の要部を拡大して示す概略的な断面端面図である。図６は図５を平面から見た概略的な断面端面図である。
(カードの押し上げ装置)  図１ならびに図２の下方に示される長方形のボックスは電気モータ１２を収納するための基台１１である。この基台１１の頂面ほぼ全体には図４に示されるように端面Ｕ形の長いフレーム９が起立して固定されている。
【００２０】
フレーム９は正面側に長手のパネル１３を有し両サイドには細長い窓孔７，８がそれぞれ開口されている。そしてフレーム９背面側の長い大きな開口には長手のパネル１４が開閉自在に配設されている。そして更にフレーム９の両サイドにはそれぞれ一対の長手になるレール１５，１６，１７，１８がそれぞれ長手に固定されている。したがって基台１１に起立固定されている一対のパネル１３，１４ならびに二対のレール１５〜１８によって該基台１１の頂面上方には長柱形になるカード１の収納室１０が形成されることになる。
【００２１】
これら一対のレール１５〜１８間にはそれぞれ長い細板の操作ロッド２１，２２が上下動自在に配設されている。そして下方の電気モータ１２には減速用のギヤ装置２３が配設され該ギヤ装置２３の回転軸には僅かに偏心しているカム２４が外装されている。このカム２４には更に長円板２５が回転自在に外装され該長円板２５の各端にはそれぞれ操作ロッド２１，２２の下端が遊嵌状に枢軸されている。図１ならびに図２の中央に示される符号３１は略十形の板であるカード１積載用の載置台である(図４を参照)。
【００２２】
載置台３１は水平状態が保持されつつカード収納室１０を昇降自在になり該載置台３１の各サイドの中央部は収納室１０から窓孔７，８を介してそれぞれ突出している。そして載置台３１の各突出部にはそれぞれ角リング形のケース３２，３３が垂下して固定されている。各ケース３２，３３内にはそれぞれ一対の楔形のテーパ体３４，３５，３６，３７が垂下して固定されている。
【００２３】
具体的には図３に示されるように一対のレール１５，１６間に操作ロッド２１が配置され該操作ロッド２１と左右のレール１５，１６との間にそれぞれテーパ体３４，３５が配設されている。そして操作ロッド２１と各テーパ体３４，３５との間にはそれぞれ載置台３１押し上げ用のコロ４１，４１が昇降自在に挿入されている。さらに各テーパ体３４，３５と左右のレール５，１６との間にはそれぞれ載置台３１戻り止め用のコロ４３，４３が昇降自在に挿入されている。
【００２４】
また各コロ４１，４３の下にはそれぞれ当該コロを上昇するためのスプリング４５がそれぞれ配設されている。したがって操作ロッド２１が少しでも上昇されるとコロ４１は予めスプリング４５によって当該操作ロッド２１とテーパ体３４，３５との間に挟まれているためロック状態になって載置台３１は上昇されることになる。こののち操作ロッド２１が下降されると別のコロ４３が予めスプリング４５によってレール１５，１６とテーパ体３４，３５との間に挟まれているためロック状態になり載置台３１は下降されず其のままの位置に維持されることになる。
【００２５】
なお操作ロッド２１が下降のときはコロ４１のロック状態が解除されていることは勿論である。また操作ロッド２１が上昇のときはコロ４３のロック状態が解除されていることは勿論である。同様に図４に示されるように操作ロッド２２と各テーパ体３６，３７との間にはそれぞれ載置台３１の押し上げコロ５１，５１が昇降自在に挿入されている。また各テーパ体３６，３７と左右のレール１７，１８との間にはそれぞれ載置台３１の戻り止めコロ５３，５３が昇降自在に挿入されている。
【００２６】
そして各コロ５１，５３の下にはそれぞれ当該コロを上昇するためのスプリング５５がそれぞれ配設されている。各ケース３２，３３の開口をそれぞれ封じるように配設されているのは、矩形のレバー板４７，５７であり此等のレバー板４７，５７は上方が枢着されている。レバー板４７，５７の各上縁には総べてのコロ４１，４３，５１，５３を押し下げるための爪４０、５０がそれぞれ形成されている。(図２ならびに図４を参照)
【００２７】
(カードの払い出し装置)  図１ならびに図２の上方に示されるのはカードの払い出し装置であって、該払出し装置はフレーム９の両サイドが上方に突出して形成された一対の頂板部６１の間に取り付けられる。
具体的にはカード払い出し装置が底のある長い角リング形のケース６２(図６を参照)を備えて該ケース６２を介在して一対の頂板部６１間に固定されている。図６に示されるようにケース６２の底部の背面側には大きな長方形の開口６３が形成されている。
【００２８】
そしてケース６２の両サイドのほぼ中央には収容された一番上のカード１を繰り出すためのローラ６４の軸６５が掛け渡されている。なお繰り出しローラ６４の外周の一部にはゴム製などの突起６６が形成されており該突起６６が回転により開口６４から突出してカード１を繰り出す。また軸６５には小さな矩形部６７(図５を参照)が回転自在に外装されると共にケース６２内に固定された電気モータ７１に回転自在に外装されている。この矩形部６７はコイル・スプリング（図示略）を介在して繰り出しローラ６４をカード１に押圧している。
【００２９】
したがって繰り出しローラ６４の軸６５は、ケース６２に対して上下に少し移動可能な長孔(図示略)などを介在して配設されている。なお矩形部６７は図６において一部分のみを図示したが繰り出しローラ６４の両サイドに配設すると押圧が安定することは勿論である。また繰り出しローラ６４を重くしておくとカード１を上から押圧することになるためスプリング手段が不要になることは勿論である。
【００３０】
図５において軸６５の右に示される細軸６８はケース６２の両サイド間に掛け渡されており該細軸６８には押し上げてられて来るカード１の接触によって回動される少し長い作動棒６９が回転自在に取り付けられている。なお作動棒６９は図６において一部分のみを図示したが繰り出しローラ６４の両サイドに配設して一対にするとカード１の検出(後記を参照)が確実になることは勿論である。
【００３１】
電気モータ７１の回動軸７２に外装されて固定されているのは小形のピニオン７３であり繰り出しローラの軸６５に外装されて固定された大きいギヤ７４と噛み合っている。図６に示されるようにケース６２底部の正面側中央には小さな細長孔７５が形成されている。そして該細長孔７５上方のケース６２の両サイドには繰り出されたカード２を送り出すためのローラ７６の軸７７が掛け渡されている。
【００３２】
なお送り出しローラ７６の軸７７には大きなギヤ７８が外装されて固定されており、該ギア７８は前記のピニオン７３に噛み合わされている。図５の左サイドに示される小さい矩形のものはＵ形の枠８１であってケース６２の正面側の下方に取り付けられている。この小枠８１内には送り出しローラ７６の下面をコイル・スプリング８２によって押圧する小形の補助ローラ８３が上下動自在に配設されている。小枠８１内の舵形のものは大略Ω形の作動体８５であって該小枠８１に枢軸８４されている。
【００３３】
送り出しローラ７６、および補助ローラ８３によって送り出されて来たカード２が作動体８５の中央に形成された傾斜片８６に接触すると当該作動体８５は回動されてカード２が検出される(後記を参照)。なお作動体８５の一端には復元用の重り部８７が形成されている。また図５に示されるように補助ローラ８３の右サイドには該ローラ８３に押圧されて配設される逆転ローラ８８が取り付けられている。この逆転ローラ８８はカード１の下面に接触してカード１の二枚出しを未然に防止するためのものである。
【００３４】
なお上述されたカード払い出し装置の上方にある部材は該払い出し装置を覆うカバー８９である。また図６の左に示される切り欠き９３は作動体８５の傾斜片８６を動き自在にするためのものである。
【００３５】
(カードの押し上げ装置)  上述の構成からなる本実施例は例えば図２に示されるように手動によって一対のレバー板４７，５７の下縁をそれぞれ矢印のように上方へ回動する。
【００３６】
この結果、総べての爪４０，５０はスプリング４５，５５の作用に抗して総べてのコロ４１，４３，５１，５３を押し下げることになる。したがって総べてのコロ４１，４３，５１，５３は挟持された状態すなわちロック状態が解除されることになって載置台３１は上昇あるいは下降が自由になる。このようにして例えば手動で載置台３１を最も下に移動するとカード１を多量に積み上げることが出来る。かくして電気モータ１２が駆動されて偏心カム２４が半回転されると一対の操作ロッド２１，２２が僅かに上昇されることになる。
【００３７】
これらの操作ロッド２１，２２はカード１の厚さに対応して例えば約１ｍｍ上昇される。これら操作ロッド２１，２２の上昇によってロック状態の４個のコロ４１，５１を介在して載置台３１は約１ｍｍ上昇されることになる。さらに電気モータ１２が駆動されて偏心カム２４が半回転されると一対の操作ロッド２１，２２が僅かに下降されることになる。これらの操作ロッド２１，２２が下降されると四個のコロ４１、５１のロック状態が解除される。
【００３８】
しかしながら別の四個のロック状態のコロ４３，５３によって載置台３１は下降されず其のままの位置に維持されることになる。このようにして偏心カム２４の一回転毎に払い出される一枚のカード１の厚さに対応した上昇たとえば約１ｍｍの上昇が行われることになる。なおコロ４１，４３，５１，５３は図面から明らかなように円柱形であるが球形あるいは半円柱形あるいは半球形などであっても良いことは勿論である。またテーパ体３４〜３７はケース３２，３３に垂下して固定したがケース３２，３３内に起立固定しても良いことは勿論である。
【００３９】
この場合も図示のようにテーパ体３４〜３７の上方は幅が広く下方ほど狭いことは勿論である。またスプリング４５も図示の実施例のみに限定されるものでないことは勿論である。なお本実施例では図２ならびに図４に示されているように四本のレール１５〜１８ならびに二本の操作ロッド２１，２２を使用したが図３に示されているように二本のレール１５，１６と一本の操作ロッド２１であっても良いことは勿論である。
【００４０】
また図３に示されているように二本のレール１５，１６の間に操作ロッド２１が配置されているが、一本のレール１５と操作ロッド２１のみであっても良いことは勿論である。さらにカード押し上げ装置全体が起立された状態で説明したが図面を横向きにした状態すなわち図示を省略したが装置全体が横転された状態の実施例でも本実施例が適用できることは勿論である。この場合、カード１は横方向に押し出されることになって載置台３１はカードの押し出し台になることは勿論である。
【００４１】
(カードの払い出し装置)  さて前述のようにして下部から押し上げられて来た多数のカード１の最も上のカード１が作動棒６９の下端に接触する。カード１が作動棒６９の下端に接触して該下端が押し上げられると当該作動棒６９の他端は下がり結果としてセンサ９１によって作動棒６９の回動が検出される。
作動棒６９の回動がセンサ９１により検出されると下方の電気モータ１２はストップされて多数カード１の押し上げが停止される。
【００４２】
このカード払い出しの準備状態においてスイッチ(図示略)などがオンされてカード払い出し信号があると上方の電気モータ７１が駆動されてピニオン７３、ギア７４，７８が回動されることになる。ギア７４が回動されると繰り出しローラ６４が回転され最も上のカード１がゴム製の突起６６によって繰り出されることになる。この繰り出されたカード１は回転されている送り出しローラ７６ならびに補助ローラ８３間に挟まれて外側に送り出される。
【００４３】
送り出されたカード２は傾斜片８６に接触し該傾斜片８６を押し下げることになり結果として作動体８５が回動されることになる。作動体８５が回動されると重り部８７がセンサ９２から離れるため該センサ９２によってカード２の払い出しが確認されることになる。外側に払い出されたカード２がカード送り出し装置から離れると傾斜片８６は自由になり重り部８７が作用して作動体８５は元の位置に戻ることになる。かくしてセンサ９２が再び重り部８７を検出することになって電気モータ７１はストップされてピニオン７３、ギア７４，７８が停止されることになる。
【００４４】
この間、繰り出しローラ６４は回転されているがゴム製の突起６６が一部分であるため次のカード１は繰り出されることが無い。なお電気モータ７１がスタートされて停止されるまでの時間を予めカード２の一枚分を考慮して決めておくと第２のセンサ９２が不要になることは勿論である。またカード２を直接に払い出す場合には送り出しローラ７６ならびに補助ローラ８３が省略できることは勿論である。
【図面の簡単な説明】
【００４５】
【図１】図１は本発明による一実施例の側面を示す概略的な断面端面図である。
【図２】図２は図１の正面を示す概略的な断面端面図である。
【図３】図３は図１の要部を拡大して示す断面端面図である。
【図４】図４は図３を平面から見た概略的な断面端面図である。
【図５】図５は図１の他の要部を拡大して示す概略的な断面端面図である。
【図６】図６は図５を平面から見た概略的な断面端面図である。
【符号の説明】
【００４６】
１，２‥‥カード体
９‥‥‥フレーム
１０‥‥カード収納室
１１‥‥基台
１５，１６，１７，１８‥‥レール
２１，２２‥‥操作ロッド
３１‥‥載置台
３４，３５‥‥テーパ体
４１，４３，５１，５３‥‥コロ
４５，５５‥‥スプリング
６４‥‥繰り出しローラ
６６‥‥突起
６９‥‥作動棒
７１‥‥電気モータ
７３‥‥ピニオン
７４‥‥ギア
７６‥‥送り出しローラ
８５‥‥作動体
８６‥‥傾斜片
８７‥‥重り部
９１‥‥第１のセンサ手段
９２‥‥第２のセンサ手段
４７，５７‥‥レバー板
【図１】
2006256868.tif 000003
【図２】
2006256868.tif 000004
【図３】
2006256868.tif 000005
【図４】
2006256868.tif 000006
【図５】
2006256868.tif 000007
【図６】
2006256868.tif 000008